(57)【特許請求の範囲】
【請求項１】
放射性のセシウム及びストロンチウムの両方を吸着する吸着材が充填された吸着塔と、
前記セシウム及び前記ストロンチウムを含む放射性廃液を前記吸着塔に供給する放射性廃液供給部と、
前記吸着塔を通水した後の前記放射性廃液を収容する処理水タンクと、
前記吸着塔の側面に設けられるとともに前記吸着材から放出されるガンマ線を検出するガンマ線検出器を有し、前記吸着塔の通水方向に沿って前記ガンマ線を検出して、前記吸着塔の通水入口側から出口側までの各位置におけるガンマ線スペクトルを計測する計測ユニットと、
前記各位置で計測された前記ガンマ線スペクトルから前記セシウムの放射線計数率をそれぞれ求めて、前記吸着塔の通水入口側から出口側までの前記セシウムの濃度分布を導出する濃度分布導出部と、
導出された前記濃度分布が所定の濃度範囲内に有るか否かを判定する第１判定部と、
前記所定の濃度範囲を超えていると判定された場合に、前記放射性廃液の供給を停止させて、アルカリ性の薬液を前記吸着塔に供給させる薬液供給制御部と、を備えることを特徴とする放射性廃液の処理装置。
【請求項２】
前記吸着塔に前記薬液を供給した後に、中性または前記放射性廃液と同程度のｐＨを有するリンス液を前記吸着塔に供給するリンス液供給制御部をさらに備えることを特徴とする請求項１に記載の放射性廃液の処理装置。
【請求項３】
前記吸着塔に前記リンス液を供給するときに、前記吸着塔から排出される前記リンス液のｐＨを計測するｐＨ計をさらに備えて、
前記リンス液供給制御部は、計測されたｐＨが中性または前記放射性廃液と同程度の予め定められた目標ｐＨになるまで前記リンス液を前記吸着塔に供給することを特徴とする請求項２に記載の放射性廃液の処理装置。
【請求項４】
前記吸着塔を通水した後の前記薬液を収容する廃薬液タンクと、
前記吸着塔を通水した後の前記放射性廃液を前記処理水タンクに流入させる処理水ラインと、
前記吸着塔を通水した後の前記薬液を前記廃薬液タンクに流入させる廃薬液ラインと、
前記薬液を前記吸着塔に供給する際に、前記処理水ラインから前記廃薬液ラインに切り替える切替部と、をさらに備えることを特徴とする請求項１から請求項３のいずれか一項に記載の放射性廃液の処理装置。
【請求項５】
前記廃薬液タンクと連通して設けられて、前記廃薬液タンクに収容されている廃液を前記吸着塔に再供給する再供給ユニットと、をさらに備えることを特徴とする請求項４に記載の放射性廃液の処理装置。
【請求項６】
前記廃薬液タンクの近傍に設けられて、前記廃薬液タンクから放出される放射線を検出し、ガンマ線スペクトル及びベータ線スペクトルを計測する放射線検出部をさらに備えて、
前記再供給ユニットは、計測されたガンマ線スペクトル及びベータ線スペクトルに基づいて前記セシウムまたは前記ストロンチウムが検出されたときに、前記廃薬液タンクに収容されている廃液を前記吸着塔に再供給することを特徴とする請求項５に記載の放射性廃液の処理装置。
【請求項７】
前記廃薬液タンクの近傍に設けられて、前記廃薬液タンクの液位を検出する液位センサをさらに備えて、
前記再供給ユニットは、前記廃薬液タンクの液位が所定の液位を超えたときに前記廃薬液タンクに収容されている廃液を前記吸着塔に再供給することを特徴とする請求項５に記載の放射性廃液の処理装置。
【請求項８】
前記吸着塔内に挿入された吸着材注入ラインを介して前記吸着材を前記吸着塔に注入する吸着材充填部と、
前記吸着塔内に挿入された吸着材排出ラインを介して排出させた前記吸着材を流入させて、この吸着材を固形分と液体分とに分離する固液分離装置と、をさらに備えることを特徴とする請求項１から請求項７のいずれか一項に記載の放射性廃液の処理装置。
【請求項９】
前記計測ユニットは、前記吸着塔の通水方向と直交する方向に前記ガンマ線検出器を移動させて、前記ガンマ線検出器と前記吸着塔の表面との間の距離を調整する駆動機構を有することを特徴とする請求項１から請求項８のいずれか一項に記載の放射性廃液の処理装置。
【請求項１０】
前記計測ユニットは、前記ガンマ線検出器と前記吸着塔の表面との間に前記吸着塔から放出される前記ガンマ線を低減させる遮蔽板を挿入可能な可変式遮蔽機構をさらに有することを特徴とする請求項１から請求項９のいずれか一項に記載の放射性廃液の処理装置。
【請求項１１】
前記薬液は、ｐＨが前記吸着塔に供給される前記放射性廃液よりも高い、水酸化カリウム溶液及び水酸化ナトリウム溶液のいずれか１種またはこれらの混合液であることを特徴とする請求項１から請求項１０のいずれか一項に記載の放射性廃液の処理装置。
【請求項１２】
前記薬液は、ｐＨが前記吸着塔に供給される前記放射性廃液よりも高い、カリウムイオンを含む、硝酸カリウムまたは塩化カリウムのアルカリ溶液のいずれか１種またはこれらの混合液であることを特徴とする請求項１から請求項１０のいずれか一項に記載の放射性廃液の処理装置。
【請求項１３】
前記吸着材は、結晶性ケイチタン酸塩、チタン酸、及びチタン酸塩のいずれか１種またはこれらの混合物であることを特徴とする請求項１から請求項１２のいずれか一項に記載の放射性廃液の処理装置。
【請求項１４】
結晶性ケイチタン酸塩を含む２種類以上の前記吸着材を混合させて前記吸着塔に充填して、
前記結晶性ケイチタン酸塩の割合が前記吸着塔の通水入口側から出口側に向かって漸次増加するように充填されることを特徴とする請求項１から請求項１３のいずれか一項に記載の放射性廃液の処理装置。
【請求項１５】
放射性のセシウム及びストロンチウムの両方を吸着する吸着材が充填された吸着塔を用いて、
前記セシウム及び前記ストロンチウムを含む放射性廃液を前記吸着塔に供給するステップと、
前記吸着塔を通水した後の前記放射性廃液を収容するステップと、
前記吸着塔の側面に設けられるとともに前記吸着材から放出されるガンマ線を検出するガンマ線検出器を有する計測ユニットを用いて、前記吸着塔の通水方向に沿って前記ガンマ線を検出して、前記吸着塔の通水入口側から出口側までの各位置におけるガンマ線スペクトルを計測するステップと、
前記各位置で計測された前記ガンマ線スペクトルから前記セシウムの放射線計数率をそれぞれ求めて、前記吸着塔の通水入口側から出口側までの前記セシウムの濃度分布を導出するステップと、
導出された前記濃度分布が所定の濃度範囲内に有るか否かを判定するステップと、
前記所定の濃度範囲を超えていると判定された場合に、前記放射性廃液の供給を停止させて、アルカリ性の薬液を前記吸着塔に供給させるステップと、を含むことを特徴とする放射性廃液の処理方法。
【発明の詳細な説明】
【技術分野】
【０００１】
本発明の実施形態は、放射性廃液に含まれる放射性のセシウム及びストロンチウムを吸着除去する放射性廃液の処理技術に関する。
【背景技術】
【０００２】
地震や津波等により原子力プラントで苛酷事故が発生した場合、大量の汚染水（放射性廃液）が発生するおそれがある。この放射性廃液は、放射性のセシウム及びストロンチウム、さらにその他の多くの放射性核種が含まれており、海洋あるいは地下水への流出による環境汚染のリスクを有している。このため、放射性廃液から放射性核種の迅速な除去が必要となり、その中でも放射能濃度の高いセシウム及びストロンチウムの除去は重要となる。
【０００３】
従来、液体中から放射性核種を除去する処理方法として、無機イオン交換体やイオン交換樹脂等を用い、これらに液体を通水させて除去する吸着除去方法が広く知られている。
【０００４】
特に、セシウムとストロンチウムは、化学的性質が異なるため、それぞれに吸着性を有する異なる吸着材が用いられている。
セシウム吸着材としては、モルデナイト等のＳｉ／Ａｌ比の小さなゼオライトやフェロシアン化物が、ストロンチウム吸着材としてはＡ型ゼオライト等のＳｉ／Ａｌ比の大きなゼオライトやチタン酸塩が例として挙げられる。
【０００５】
近年、セシウム及びストロンチウムの両方を吸着できる吸着材の開発が進んでいる（例えば、特許文献１、２）。この中で結晶性ケイチタン酸塩（ＣＳＴ）は、セシウムとストロンチウムの両方に対して高い選択性を有しており、高塩濃度溶液中における吸着性能は、従来材料の吸着性能を超えることが分かっている。
ＣＳＴは、１種類の吸着材で除去可能なことから除去装置の簡素化等が期待できることから、その積極的な使用が検討されている（例えば、特許文献３）。
【先行技術文献】
【特許文献】
【０００６】
【特許文献１】特開２０１４−１２２８０６号公報
【特許文献２】特開２０１４−１６３１１号公報
【特許文献３】特開２０１４−２９２６９号公報
【発明の概要】
【発明が解決しようとする課題】
【０００７】
上述のＣＳＴを吸着塔に充填して放射性廃液の吸着除去処理を行った場合、その高すぎるセシウム選択性のために吸着塔内のセシウム濃度に局所的な偏りが生じるという課題があった。
【０００８】
この吸着塔内のセシウム濃度の局所的な偏りを分散させる方法として、吸着塔への通水量の増加や吸着塔の通水方向を軸とした径を細くすること等による線流速の増加が考えられる。
【０００９】
しかし、線流速を大きくする方法ではストロンチウムの吸着分布も同時に吸着塔の出口側へ広がってしまい、早く吸着塔出口液からストロンチウムが検出される。つまり、線流速を増加させる方法では、セシウム濃度の局所的な偏りは分散できるものの、吸着塔のストロンチウム吸着性能を低下させてしまうという課題があった。
【００１０】
本発明はこのような事情を考慮してなされたもので、吸着材のストロンチウムに対する吸着性能を低下させること無く、吸着塔内のセシウム濃度を分散させることができる放射性廃液の処理技術を提供することを目的とする。
【課題を解決するための手段】
【００１１】
本発明の実施形態に係る放射性廃液の処理装置において、放射性のセシウム及びストロンチウムの両方を吸着する吸着材が充填された吸着塔と、前記セシウム及び前記ストロンチウムを含む放射性廃液を前記吸着塔に供給する放射性廃液供給部と、前記吸着塔を通水した後の前記放射性廃液を収容する処理水タンクと、前記吸着塔の側面に設けられるとともに前記吸着材から放出されるガンマ線を検出するガンマ線検出器を有し、前記吸着塔の通水方向に沿って前記ガンマ線を検出して、前記吸着塔の通水入口側から出口側までの各位置におけるガンマ線スペクトルを計測する計測ユニットと、前記各位置で計測された前記ガンマ線スペクトルから前記セシウムの放射線計数率をそれぞれ求めて、前記吸着塔の通水入口側から出口側までの前記セシウムの濃度分布を導出する濃度分布導出部と、導出された前記濃度分布が所定の濃度範囲内に有るか否かを判定する第１判定部と、前記所定の濃度範囲を超えていると判定された場合に、前記放射性廃液の供給を停止させて、アルカリ性の薬液を前記吸着塔に供給させる薬液供給制御部と、を備えることを特徴とする。
【００１２】
本発明の実施形態に係る放射性廃液の処理方法において、放射性のセシウム及びストロンチウムの両方を吸着する吸着材が充填された吸着塔を用いて、前記セシウム及び前記ストロンチウムを含む放射性廃液を前記吸着塔に供給するステップと、前記吸着塔を通水した後の前記放射性廃液を収容するステップと、前記吸着塔の側面に設けられるとともに前記吸着材から放出されるガンマ線を検出するガンマ線検出器を有する計測ユニットを用いて、前記吸着塔の通水方向に沿って前記ガンマ線を検出して、前記吸着塔の通水入口側から出口側までの各位置におけるガンマ線スペクトルを計測するステップと、前記各位置で計測された前記ガンマ線スペクトルから前記セシウムの放射線計数率をそれぞれ求めて、前記吸着塔の通水入口側から出口側までの前記セシウムの濃度分布を導出するステップと、導出された前記濃度分布が所定の濃度範囲内に有るか否かを判定するステップと、前記所定の濃度範囲を超えていると判定された場合に、前記放射性廃液の供給を停止させて、アルカリ性の薬液を前記吸着塔に供給させるステップと、を含むことを特徴とする。
【発明の効果】
【００１３】
本発明の実施形態により、吸着材のストロンチウムに対する吸着性能を低下させること無く、吸着塔内のセシウム濃度を分散させることができる放射性廃液の処理技術を提供する。
【図面の簡単な説明】
【００１４】
【図１】第１実施形態に係る放射性廃液の処理装置の構成図。
【図２】２種の吸着材を混合した場合の吸着塔内の充填状態を示す概略断面図。
【図３】（Ａ）は、本実施形態に適用される吸着塔とその側面に設置される計測用ユニットの構成を示す断面図であり、（Ｂ）は、図３（Ａ）のＩ−Ｉ断面図。
【図４】（Ａ）、（Ｂ）は、本実施形態に適用される計測ユニットの構成例を示す図。
【図５】ＣＳＴを充填した吸着塔における通水入口側から出口側までのセシウム及びストロンチウムの吸着濃度分布の解析例を示す図。
【図６】ＣＳＴのセシウム及びストロンチウム分配係数とｐＨとの相関関係を示すグラフ。
【図７】本実施形態に係る放射性廃液の処理手順の一例を示すフローチャート。
【図８】第２実施形態に係る放射性廃液の処理装置の構成図。
【図９】第３実施形態に係る放射性廃液の処理装置の構成図。
【図１０】図１０は、第４実施形態に係る放射性廃液の処理装置の構成図。
【発明を実施するための形態】
【００１５】
（第１実施形態）
以下、本発明の実施形態を添付図面に基づいて説明する。
図１に示すように、第１実施形態に係る放射性廃液の処理装置１０（以下、“処理装置１０”と省略する）は、放射性廃液供給部１１、薬液供給部１２、リンス液供給部１３、吸着塔１４、計測ユニット１５、切替部１６、処理水タンク１７、廃薬液タンク１８、制御装置５０、を備えている。
【００１６】
本実施形態では、原子力プラントにおけるプラント運転あるいは地震、津波などを起因とする苛酷事故等により生じる、放射性のセシウム及びストロンチウム、その他の放射性核種を含む放射性廃液を処理対象とする。
【００１７】
放射性廃液供給部１１は、放射性廃液を保持しており、廃液供給ライン１９介して吸着塔１４に放射性廃液を供給する。廃液供給ライン１９は、放射性廃液供給部１１と吸着塔１４とを接続する配管であり、放射性廃液供給部１１から供給された放射性廃液を吸着塔１４に導く。
【００１８】
薬液供給部１２は、ｐＨが吸着塔１４に供給される放射性廃液よりも高い、アルカリ性の薬液を保持しており、薬液供給ライン２０、廃液供給ライン１９を介して吸着塔１４に薬液を供給する。薬液供給ライン２０は、一端は薬液供給部１２に接続され、他端は廃液供給ライン１９には接続された配管である。薬液供給時、薬液は薬液供給ライン２０及び廃液供給ライン１９を流動して吸着塔１４に導かれる。
【００１９】
薬液は、アルカリ性の溶液であれば良く、例えば水酸化カリウム溶液及び水酸化ナトリウム溶液が挙げられる。また、アルカリ溶液の混合液を用いても良い。さらに、カリウムイオンを含む、硝酸カリウムまたは塩化カリウムのアルカリ溶液のいずれか１種またはこれらの混合液を用いても良い。
【００２０】
リンス液供給部１３は、中性またはｐＨが吸着塔１４に供給される放射性廃液と同程度（およそｐＨ６〜８）のリンス液（例えば、水道水など）を保持しており、リンス液供給ライン２１、廃液供給ライン１９を介して吸着塔１４にリンス液を供給する。リンス液供給ライン２１は、一端はリンス液供給部１３に接続され、他端は廃液供給ライン１９に接続された配管である。リンス液供給時、リンス液はリンス液供給ライン２１及び廃液供給ライン１９を流動して吸着塔１４に導かれる。
【００２１】
放射性廃液、薬液、及びリンス液それぞれの供給開始、停止、及び供給量の調整は制御装置５０により制御される。なお、各液の具体的な供給手順は後述する。
【００２２】
吸着塔１４は、細長い円筒型の形状を有しており、内部に吸着材２２が注入、充填されている。吸着塔１４の前端及び後端には、吸着材２２の充填層への固形物の流入や吸着材２２の吸着塔１４外への流出を防止するためのフィルタ２３が設けられている。また、吸着塔１４の外表面には、ガンマ線の外部への漏洩を低減させるための、例えば鉄、鉛などの遮蔽体２４が設けられている。
【００２３】
吸着塔１４に充填される吸着材２２には、セシウム及びストロンチウムの両方を同時に吸着可能な粒子状の吸着材料を使用する。吸着材２２として、結晶性ケイチタン酸塩（ＣＳＴ）、アモルファスのケイチタン酸塩、チタン酸、チタン酸塩が例示される。
【００２４】
また、２種類以上の吸着材料を混合させた混合物を吸着塔１４に充填しても良く、例えば、セシウムの吸着性が小さく、かつアルカリ性でストロンチウムの吸着性能が低下しないチタン酸やチタン酸塩などの吸着材とＣＳＴとの２種類以上を混合充填してもよい。
【００２５】
２種類以上の吸着材２２を吸着塔１４内に充填する場合、これらの材料が均一となるように混合させて吸着塔１４に充填しても良いが、吸着材２２のそれぞれが吸着塔１４内で偏在するように充填しても良い。
【００２６】
図２は、ＣＳＴとその他の吸着材２２（例えば、チタン酸）を吸着塔１４内に偏在させて充填させた場合の充填例を示している。符号２２ａはＣＳＴを示しており、符号２２ｂはその他の吸着材を示している。ここでは、吸着塔１４の通水入口側から出口側に向かってＣＳＴの充填量が漸次増加するように充填されている。
【００２７】
通水入口側においてセシウムの吸着効率が高いＣＳＴの割合が減少させることで、入口側で集中的にセシウムが吸着されることを防止でき、吸着塔１４内のセシウムの吸着分布の偏りを緩和することができる。また、吸着分布の偏りの緩和に伴い、薬液供給が必要な頻度も低減するため、薬液の使用量を減少させることもできる。
【００２８】
図１に戻って説明を続ける。
吸着塔１４に供給された放射性廃液は、吸着塔１４内を流動することで、廃液内に含まれるセシウム及びストロンチウムが吸着材２２に吸着され除去される。そして、通水された後の放射性廃液の処理水は、吸着塔１４の出口に接続して設けられた出口ライン２５、切替部１６、及び処理水ライン２６を介して処理水タンク１７に収容される。
【００２９】
切替部１６は、吸着塔１４から排出される排出液の収容先を変更するために、排出液が移送される配管（ライン）を切り替えるものである。
【００３０】
吸着塔１４に放射性廃液が供給される際には、出口ライン２５と処理水ライン２６とを導通させて、吸着塔１４から排出された放射性廃液の処理水を処理水タンク１７に流入させる。また、薬液の供給前にリンス液を供給する場合には、出口ライン２５と処理水ライン２６とを導通させたままで、吸着塔１４から排出されたリンス液を処理水タンク１７に流入させる。
【００３１】
一方、吸着塔１４に薬液が供給される際には、ラインの接続を廃薬液ライン２７に切り替えて、吸着塔１４から排出された薬液を廃薬液タンク１８に流入させる。また、薬液の供給後にリンス液を供給する場合には、ラインの接続を廃薬液ライン２７に切り替えたままで、吸着塔１４から排出されたリンス液を廃薬液タンク１８に流入させる。
【００３２】
セシウムとストロンチウムが吸着除去された放射性廃液は、処理水タンク１７に収容された後に、さらに後段の放射性核種除去装置に送られる。切替部１６を設けることで、放射性廃液と薬液とを分離して収容することができ、後段の放射性核種除去装置における処理対象を低減できる。
【００３３】
図３（Ａ）は、本実施形態に適用される吸着塔１４とその側面に設置される計測ユニット１５の構成を示す断面図であり、図３（Ｂ）は、図３（Ａ）のＩ−Ｉ断面図である。
【００３４】
計測ユニット１５は、吸着塔１４の側面に軸方向に沿って配置されており、吸着材２２から放出されるガンマ線を検出するガンマ線検出器２８と、このガンマ線検出器２８を吸着塔１４の軸方向に沿って移動させる駆動機構２９と、を備えている。ガンマ線検出器２８としては、半導体放射線検出器やＮａＩ型検出器などを使用することができる。
【００３５】
駆動機構２９は、計測ユニット１５の内表面に設けられており、ガンマ線検出器２８を一定の間隔で停止、移動を繰り返しながら、吸着塔１４の通水入口側から出口側まで軸方向に沿って移動させる。駆動機構２９は、ガンマ線検出器２８が出口端まで到達したら、入口端まで戻し再度通水入口側から出口側まで移動させる。
【００３６】
ガンマ線検出器２８は、停止時に、吸着材２２から放出されるガンマ線を検出し、その停止位置でのガンマ線スペクトルを計測する。放射性廃液の処理動作中、駆動機構２９によるガンマ線検出器２８の移動は継続され、ガンマ線スペクトルの計測は常時行われる。
【００３７】
計測ユニット１５は、吸着塔１４の通水入口側から出口側までの各位置で計測されたガンマ線スペクトルのデータを制御装置５０（図１）に送信する。このとき、ガンマ線スペクトルの計測時間、計測位置の計測情報も合わせて送信する。ガンマ線検出器２８を停止させる間隔は、吸着塔１４の通水方向に沿ったガンマ線スペクトルデータを細かく取得する観点から、短い方が好ましい。
【００３８】
また、ガンマ線スペクトルを計測する方法として、吸着塔１４の軸方向に沿って複数のガンマ線検出器２８を配置して、それぞれのガンマ線検出器２８でガンマ線スペクトルを同時に計測して良い。これにより、吸着塔１４の通水入口側から出口側までのガンマ線スペクトルのデータを迅速に取得できる。
【００３９】
図４（Ａ）及び（Ｂ）は、計測ユニット１５の他の構成例を示している。
駆動機構２９は、図４（Ａ）に示すように、吸着塔１４の軸方向と直交する軸上にガンマ線検出器２８を駆動させる構成をさらに有している。ガンマ線検出器２８と吸着塔１４表面との間の距離を調整可能にすることで、検出器に入るガンマ線の量を調整できる。
【００４０】
また、可変式遮蔽機構３０は、図４（Ｂ）に示すように、ガンマ線検出器２８と吸着塔１４の表面との間に任意の枚数の遮蔽板３１（例えば、鉄、鉛などの板）を挿入可能な機構である。遮蔽板３１を挿入可能にすることで、検出器に入るガンマ線の量を調整できる。
【００４１】
処理対象となる放射性廃液のセシウム濃度が高く、ガンマ線検出器２８の測定可能範囲を超える場合に正しい計測ができなくなるおそれがある。ガンマ線検出器２８に入るガンマ線の量を低減可能な構成を備えることで、測定可能な放射能濃度領域を広げることができる。
【００４２】
図１に戻って説明を続ける。
制御装置５０は、放射性廃液の供給停止／開始を制御する廃液供給制御部５１、薬液の供給停止／開始を制御する薬液供給制御部５２、リンス液の供給停止／開始を制御するリンス液供給制御部５３、計測情報の表示や作業員が手動操作を行うための表示操作部５４、信号受付部５５、濃度分布導出部５６、第１判定部５７、を備えている。
【００４３】
信号受付部５５は、計測ユニット１５から送信される、吸着塔１４の通水入口側から出口側までの各位置におけるガンマ線スペクトルのデータを受信する。また、ガンマ線スペクトルのデータに対応する計測時間、計測位置の情報も合わせて受信する。
【００４４】
濃度分布導出部５６は、各位置で計測されたガンマ線スペクトルから放射性セシウム（例えば、Ｃｓ−１３７やＣｓ−１３４）の放射線計数率をそれぞれ求める。そして、求めた放射線計数率及び計測時間、計測位置の情報に基づいて吸着塔１４における通水入口側から出口側までのセシウムの濃度分布を導出する。
【００４５】
なお、濃度分布導出部５６は、計測ユニット１５からガンマ線スペクトルのデータが送信され、吸着塔１４の通水入口側から出口側までのデータが収集されるごとにセシウムの濃度分布を導出する。
【００４６】
第１判定部５７は、濃度分布導出部５６で導出されたセシウムの濃度分布が所定の濃度範囲内に有るか否かを判定する。濃度範囲は、使用後（セシウム吸着処理後）の吸着材２２を処分する取扱い上の観点から適宜設定される。第１判定部５７は、判定結果を薬液供給制御部５２に送信する。
【００４７】
薬液供給制御部５２は、セシウムの濃度分布が所定の濃度範囲内に無いと判定された場合、廃液供給制御部５１に指令して、放射性廃液の供給を停止させる。なお、リンス液供給制御部５３は、放射性廃液の供給を停止後、薬液供給制御部５２により薬液が吸着塔１４に供給される前に、リンス液供給部１３からリンス液を吸着塔１４に供給しても良い。これにより、吸着塔１４内に残存している放射性廃液がリンス液により置換される。リンス液の供給は、吸着塔体積の１本分以上を通水することが望ましい。
【００４８】
薬液供給制御部５２は、放射性廃液の供給を停止後、吸着塔１４への薬液供給を開始する。このとき、切替部１６は、出口ライン２５との接続を処理水ライン２６から廃薬液ライン２７に切り替える。
【００４９】
ここで、吸着塔１４内にアルカリ性の薬液を供給する効果について具体的に説明する。
セシウムの吸着性能が高い吸着材２２（例えば、ＣＳＴ）を用いた場合、放射性廃液の処理が進んでいくと、吸着塔１４入口付近のセシウム濃度が高くなりセシウム濃度分布に極端な偏りが生じる。
【００５０】
図５は、吸着材２２としてＣＳＴを充填した吸着塔１４を用いて、吸着塔１４の通水入口側から出口側までのセシウム及びストロンチウムの濃度分布の解析例を示したものである。なお、吸着材２２に供給する放射性廃液のｐＨは、中性であるとして解析している。
【００５１】
この解析例から、ＣＳＴは、中性においてセシウム吸着性能がストロンチウム吸着性能に比べて高いため、ストロンチウムに比べてセシウムの吸着分布が吸着塔入口付近に集中することが分かる。
【００５２】
図６は、試験より得られた各ｐＨに対するセシウムおよびストロンチウムの分配係数をｐＨ７におけるストロンチウム分配係数で規格化したグラフを示している。
【００５３】
ここでは、純水にセシウムおよびストロンチウムを各５０ｍｇ／Ｌとなるように添加して試験液を作成し、準備した試験液３０ｍｌにＣＳＴ：０．１５ｇを浸漬した。そして、数日間浸漬した後に溶液のｐＨを測定して、目標ｐＨと異なる場合はＨＣｌもしくはＮａＯＨを添加し、さらに数日間浸漬する作業を繰り返すことで溶液のｐＨを調整した。
【００５４】
その後、浸漬液の一部を分取し、溶液中のセシウムとストロンチウムの元素濃度を測定した。浸漬前後の元素濃度を下記式（１）に代入して、吸着性能の指標である分配係数を求めた。
【００５５】
分配係数（ｍｌ／ｇ）＝（浸漬前の元素濃度−浸漬後の元素濃度）÷（浸漬後の元素濃度）×試験液体積÷吸着材重量  ・・・式（１）
【００５６】
図６によると、セシウム吸着性能はアルカリ性で低下することが分かる。一方、ストロンチウム吸着性能は酸性で低下し、アルカリ性で向上することが分かる。
【００５７】
つまり、セシウムの吸着分布が通水入口側に偏った吸着塔１４にアルカリ性の溶液を通水することで、一時的にセシウムの吸着性能のみが低下する。これにより、吸着材２２に一度吸着されたセシウムが吸着と脱着を繰り返しながら徐々に出口側の吸着材２２に移行する。
【００５８】
このため、吸着塔１４内のセシウムの吸着分布を入口側から出口側に向かって分散させることができ、吸着塔１４内におけるセシウム濃度分布の極端な偏りを解消することができる。
【００５９】
なお、薬液中のカリウムイオン濃度が大きいほど、効果的にセシウムの吸着性能を低下させることが出来るため、ＣＳＴの選択性がナトリウムイオンより大きいカリウムイオンを含む水酸化カリウム溶液を薬液として用いることがより好ましい。
【００６０】
薬液供給制御部５２は、薬液供給により、セシウムの濃度分布が所定の濃度範囲内に入った場合、薬液の供給を停止する。
【００６１】
リンス液供給制御部５３は、薬液供給の停止後、リンス液供給部１３からリンス液を吸着塔１４に供給させる。薬液供給後にリンス液を吸着塔１４内に通水させることで、吸着塔内に残存、あるいは吸着材２２に付着している薬液がリンス液により置換される。これにより、吸着塔１４内が中性または放射性廃液と同程度のｐＨ環境となり、薬液の供給により一時的にセシウムの吸着性能が低下していた吸着材２２の吸着性能が回復する。
【００６２】
図７は、本実施形態に係る放射性廃液の処理手順の一例を説明するフローチャートである（適宜、図１参照）。
【００６３】
放射性廃液供給部１１は、吸着塔１４に放射性廃液を供給する（Ｓ１０）。運転員の手動操作により放射性廃液の供給は開始される。なお、操作は、表示操作部５４で行われる。
【００６４】
放射性廃液は、吸着塔１４内を通水して、廃液に含まれる放射性のセシウムとストロンチウムが吸着材２２に吸着除去される（Ｓ１１）。
【００６５】
放射性廃液が供給された後、計測ユニット１５の駆動機構２９（図４（Ｂ）参照）は、ガンマ線検出器２８を一定の間隔で停止、移動を繰り返しながら、吸着塔１４の通水入口側から出口側まで軸方向に沿って移動させる。ガンマ線検出器２８は、停止時に、吸着材２２から放出されるガンマ線を検出して、その停止位置でのガンマ線スペクトルを計測する（Ｓ１２）。計測された各ガンマ線スペクトルは、信号受付部５５に送信される。
【００６６】
濃度分布導出部５６は、各位置で計測されたガンマ線スペクトルから放射性セシウムの放射線計数率をそれぞれ求めて、吸着塔１４における通水入口側から出口側までのセシウムの濃度分布を導出する（Ｓ１３）。
【００６７】
第１判定部５７は、濃度分布導出部５６で導出されたセシウムの濃度分布が所定の濃度範囲内に有るか否かを判定する（Ｓ１４）。所定の濃度範囲に有る場合、放射性廃液の供給を継続する（Ｓ１４：ＹＥＳ）。
【００６８】
一方、セシウムの濃度分布が所定の濃度範囲内に無い場合、薬液供給制御部５２は、廃液供給制御部５１に指令して、放射性廃液の供給を停止させる（Ｓ１４：ＮＯ、Ｓ１５）。
【００６９】
そして、リンス液供給制御部５３は、リンス液供給部１３からリンス液を吸着塔１４に供給する（Ｓ１６）。
【００７０】
リンス液の供給後、切替部１６は、出口ライン２５との接続を処理水ライン２６から廃薬液ライン２７に切り替える（Ｓ１７）。
【００７１】
薬液供給制御部５２は、薬液供給部１２から薬液を吸着塔１４に供給する（Ｓ１８）。セシウムの濃度分布が所定の濃度範囲内に入るまで薬液の供給を継続する（Ｓ１９：ＮＯ）。一方、セシウムの濃度分布が所定の範囲内に入った場合には、薬液の供給を停止する（Ｓ１９：ＹＥＳ）。
【００７２】
薬液の供給停止後、リンス液供給制御部５３は、リンス液供給部１３からリンス液を吸着塔１４に供給する（Ｓ２０）。そして、切替部１６は、出口ライン２５との接続を廃薬液ライン２７から処理水ライン２６に切り替える（Ｓ２１）。
【００７３】
全ての放射性廃液の処理が終了するまで、Ｓ１０〜Ｓ２１を繰り返す（Ｓ２２：ＮＯ）。一方、全ての放射性廃液の処理が終了した場合は、処理を終了する（Ｓ２２：ＹＥＳ）。
【００７４】
このように、放射性廃液の処理中に、吸着塔１４内のセシウム濃度分布に基づいてアルカリ性の薬液を供給することで、吸着塔１４内のセシウムの吸着分布を分散させることができ、濃度分布の極端な偏りを解消できる。
【００７５】
（第２実施形態）
図８は、第２実施形態に係る処理装置１０の構成図を示している。なお、図８において図１と共通の構成又は機能を有する部分は、同一符号で示し、重複する説明を省略する。
【００７６】
ｐＨ計３２は、廃薬液ライン２７に設けられており、薬液供給後にリンス液を供給する際に、廃薬液ライン２７から廃薬液タンク１８に流入するリンス液のｐＨを計測する。そして、計測したｐＨを制御装置５０に送信する。
【００７７】
リンス液供給制御部５３は、計測されたｐＨを受信して、計測ｐＨが中性または供給させる放射性廃液と同程度の予め定められた目標ｐＨ（約ｐＨ６〜８）になるまで、リンス液を吸着塔１４に供給する。
【００７８】
このように、吸着塔１４から排出されるリンス液のｐＨを計測して、ｐＨが中性（または放射性廃液と同程度のｐＨ）になるまでにリンス液を供給することで、吸着塔内が中性環境になったことが確認された後に、放射性廃液の供給を再開することができる。
【００７９】
（第３実施形態）
図９は、第３実施形態に係る処理装置１０の構成図を示している。なお、図９において第２実施形態（図８）と共通の構成又は機能を有する部分は、同一符号で示し、重複する説明を省略する。
【００８０】
放射線検出部３３は、廃薬液タンク１８の近傍に設けられており、廃薬液タンク１８から放出される放射線（ベータ線及びガンマ線）を検出するものである。放射線検出部３３は、ガンマ線検出器及びベータ線検出器から構成される。各検出器は、廃薬液タンク１８から放出されるガンマ線及びベータ線を検出して、ガンマ線スペクトル及びベータ線スペクトルを計測する。
【００８１】
液位センサ３４は、廃薬液タンク１８の近傍に設けられて、廃薬液タンク１８の液位を検出するセンサである。液位センサ３４として、タンクの液面にレーザを照射して、基準位置（センサ設置位置）から液面までの距離を測定するレーザセンサなどを使用することができる。
【００８２】
再供給ユニット３５は、廃薬液タンク１８と連通して設けられて、廃薬液タンク１８に収容されている廃液を、再供給ライン３６を介して吸着塔１４に再供給するものである。再供給ライン３６は、一端は再供給ユニット３５に接続され、他端は廃液供給ライン１９には接続された配管である。再供給時、廃薬液タンク１８内の廃液は再供給ライン３６及び廃液供給ライン１９を流動して吸着塔１４に導かれる。
【００８３】
再供給ユニット３５は、放射線検出部３３で計測されたガンマ線スペクトル及びベータ線スペクトルから、放射性セシウム（例えば、Ｃｓ−１３７やＣｓ−１３４等）または放射性ストロンチウム（Ｓｒ−９０）が検出された場合、廃薬液タンク１８内の廃液を再供給ライン３６を介して吸着塔１４に再供給する。
【００８４】
また、再供給ユニット３５は、液位センサ３４で計測されたタンクの液位を入力して、廃薬液タンク１８の液位が所定の設定値（例えば、タンクが溢れるおそれのある水位）を超えた場合に、廃薬液タンク１８内の廃液を吸着塔１４に再供給しても良い。
【００８５】
なお、廃液の再供給は、吸着塔１４への放射性廃液供給を再開した際に、放射性廃液と同時、もしくは別々に供給する。
【００８６】
さらに、再供給ユニット３５は、廃薬液タンク１８に収容された廃液のｐＨを計測して、ｐＨ６〜８程度もしくは放射性廃液と同程度のｐＨに中和する中和装置を備えても良い。
【００８７】
制御装置５０の表示操作部５４は、液位センサ３４から廃薬液タンク１８の液位及び放射線検出部３３で計測されたスペクトルデータを入力する。そして、タンクの液位が所定の設定値を超えた場合やセシウムまたはストロンチウムがタンクの廃液から検出された場合に、警告情報を表示して、あるいは警報音を発する。作業員は、表示される警告情報を確認して、廃薬液タンク１８に収容された廃薬液の処理を手動で行うこともできる。
【００８８】
このように、再供給ユニット３５を設けることで、廃薬液タンク１８で放射線セシウムまたはストロンチウムが検出された場合やタンク内の液位が所定の液位を超えた場合に、廃薬液タンク１８内の廃液を再処理することが可能となる。
【００８９】
（第４実施形態）
図１０は、第４実施形態に係る処理装置１０の構成図を示している。なお、図１０において第３実施形態（図９）と共通の構成又は機能を有する部分は、同一符号で示し、重複する説明を省略する。
【００９０】
吸着材充填部３７（３７１，３７２）は、吸着材２２を保持している。そして、吸着材注入ライン３８を介して吸着塔１４内に、充填液（水道水などの中性液）とともに吸着材２２を注入、充填する。
【００９１】
吸着材注入ライン３８は、吸着材充填部３７と吸着塔１４の内部とを接続する配管であり、一端は吸着塔１４内に挿入される。なお、図１０では、２種類の吸着材２２を混合充填する構成を示しているが、吸着材充填部３７の設置数を変えることで１種類あるいは３種類以上に構成しても良い。
【００９２】
吸着塔１４に充填する際に、充填される吸着材２２の割合は、吸着材充填部３７の注入流量を調整することで制御できる。吸着材注入ライン３８を介して複数の吸着材２２を同時に充填することで、吸着塔１４内に複数種の吸着材２２を均一に充填することができる。
【００９３】
なお、吸着材充填部３７は事前に充填する吸着材２２を洗浄する洗浄設備を備えており、吸着材２２充填前に充填液を用いた逆洗とバブリングにより吸着材２２の微粉末や不純物が取り除かれる。
【００９４】
固液分離装置３９は、放射性廃液の吸着除去処理後、吸着材排出ライン４０を介して吸着塔１４に吸着材２２を流入させて、固形分（廃吸着材）と吸着材に付着している液体分とに分離する。吸着材排出ライン４０は、固液分離装置３９と吸着塔１４の内部とを接続する配管であり、一端は吸着塔１４内に挿入される。
【００９５】
分離された固形分は、固形分ライン４１を介して廃吸着タンク４２に収容される。一方、液体分は液体分ライン４３を介して廃薬液タンク１８に収容される。
【００９６】
吸着材２２を吸着塔１４内に充填、排出可能な構成とすることで、使用済みの吸着材２２を吸着塔１４と一緒に交換する必要は無く、ランニングコストを低減することができる。
【００９７】
以上述べた各実施形態の放射性廃液の処理装置によれば、吸着塔の通水入口側から出口側までのセシウム濃度分布が所定の範囲に無い場合、アルカリ性の薬液を供給することにより、吸着塔に充填された吸着材のストロンチウムに対する吸着性能を低下させること無く、吸着塔内のセシウム濃度を分散することができる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１０…放射性廃液の処理装置、１１…放射性廃液供給部、１２…薬液供給部、１３…リンス液供給部、１４…吸着塔、１５…計測ユニット、１６…切替部、１７…処理水タンク、１８…廃薬液タンク、１９…廃液供給ライン、２０…薬液供給ライン、２１…リンス液供給ライン、２２…吸着材、２３…フィルタ、２４…遮蔽体、２５…出口ライン、２６…処理水ライン、２７…廃薬液ライン、２８…ガンマ線検出器、２９…駆動機構、３０…可変式遮蔽機構、３１…遮蔽板、３２…ｐＨ計、３３…放射性検出部、３４…液位センサ、３５…再供給ユニット、３６…再供給ライン、３７…吸着材充填部、３８…吸着材注入ライン、３９…固液分離装置、４０…吸着材排出ライン、４１…固形分ライン、４２…廃吸着材タンク、４３…液体分ライン、５０…制御装置、５１…廃液供給制御部、５２…薬液供給制御部、５３…リンス液供給制御部、５４…表示制御部、５５…信号受付部、５６…濃度分布導出部、５７…第１判定部。
【図１】
0006462491.tif 000002
【図２】
0006462491.tif 000003
【図３】
0006462491.tif 000004
【図４】
0006462491.tif 000005
【図５】
0006462491.tif 000006
【図６】
0006462491.tif 000007
【図７】
0006462491.tif 000008
【図８】
0006462491.tif 000009
【図９】
0006462491.tif 000010
【図１０】
0006462491.tif 000011